(57)【要約】【課題】  鞄の使用にあたり、物捜し、置き忘れ、紛失、更に鞄を取替えた時の忘れ物を防止し、必要な物を瞬時に片手で鞄に出し入れできる。また、鞄の転倒、逆転にも収納物が散乱、移動が生じない収納用具又は鞄の提供。【解決手段】  頻繁に使用する収納物の頂部を全て鞄の開閉位置に近接させ揃えて、１，２の仕切られた収納部に収納することにより、整理され一目瞭然な状態となり、一気に上記の課題が解決。１の高さあわせ収納と２の物あわせ収納により組合せ構成し、鞄に挿入する脱着自在とした収納用具又は上記の構造、機能による収納装置を装備した鞄。鞄の下部に余裕ができ、収納する書類などの管理性も併せて向上した。鞄の整理によりいかなる場面にも瞬時に対応できる安心感で本来の業務に専念できるという効果は絶大である。【選択図】図１
2005103199.tif 000002
【特許請求の範囲】
【請求項１】
頻繁に使用する収納物の頂部を、鞄の開閉位置に近接し揃えて仕切り収納するための、高さあわせ収納と物あわせ収納について必要数を組合せ、鞄内部に挿入する収納用具。
【請求項２】
高さあわせ収納について。上端より規格寸法下方位置に竹節状の止りを設置し、竹節状の止りより下部に高さ調整用切断部分を設け、鞄の高さにあわせ設置する脱着可能な請求項１記載の収納用具。
【請求項３】
物あわせ収納について。取付け高さを頻繁に使用する収納物の頂部が鞄の開閉位置に近接して揃うよう調整し、仕切りを設け、上端は切断線を波型にし引掛け物の横滑りを防止する、脱着可能な請求項１記載の収納用具。
【請求項４】
高さあわせ収納と物あわせ収納との接続方法は、延長折り曲げ部に設けた高さ調整用折り曲げ部を、収納物の頂部が鞄の開閉位置に近接し揃う一箇所を選定し折り曲げ、上部開口部より差込吊下げ設置した請求項１、２および３記載の収納用具。
【請求項５】
高さあわせ収納と物あわせ収納との接続方法について、物あわせ収納の延長折り曲げ部と、高さ調整用折り曲げ部を設けず、ホック又はマジックテープなどにより高さあわせ収納に接続した請求項１、２および３記載の収納用具。
【請求項６】
本発明の構造、機能を有した請求項１、２、３、４及び５記載の収納用具を装備した鞄。
【発明の詳細な説明】
【技術分野】
【０００１】  本発明は、頻繁に使用する携行物の頂部を鞄の開閉位置に近接し揃えて、仕切り収納するための鞄内部に挿入する収納用具及び上記の構造、機能による収納装置を装備した鞄に関する。
【背景技術】
【０００２】  従来の収納用具は収納の量は充実し、脱着自在であり、鞄の上部空間の活用と小物の出し入れについて種々の発明がされている。
【特許文献１】  特開２０００−２３６９２９  公開特許公報（Ａ）特許査定
【非特許文献１】  特開２０００−３２５１２４  公開特許公報（Ａ）
【発明の開示】
【発明が解決しようとする課題】
【０００３】  鞄に合理的な収納用具を装備することで、鞄からの物の出し入れに際し瞬時に片手で使用可能な状態にすること。これにより業務能率の向上はもとより、ビジネス相手の印象と業績を向上させること。【０００４】  鞄の中を整理することにより一目瞭然な状態となることで、物捜しをなくし、物の置き忘れ、紛失を防止する。更に鞄を取替えて外出する際に忘れ物を防止すること。【０００５】  鞄の転倒、逆転にも収納物が散乱、移動せず、常に収納物が固定した位置にあること。
【課題を解決しようとする手段】
【０００６】  頻繁に使用する収納物の頂部を鞄の開閉位置に近接し揃えて、仕切り収納する。
【０００７】  収納用具は脱着が自在で、柔軟性と復元力をもつ。
【発明の効果】
【０００８】  頻繁に使用する収納物の頂部を鞄の開閉位置に近接し揃えて、仕切り収納することで、位置が決められ、出し入れが瞬時に片手で可能な状態に至り、業務能率の向上はもとより、ビジネス相手の印象と業績の向上が計られる。さらに、鞄の整理など時間軽減となり、いかなる場面にも瞬時に対応できる安心感で本来の業務に専念する効果は絶大である。
【０００９】    車両等での移動における鞄の転倒、逆転にも、鞄の開口部分が収納用具の蓋の役割を果し、収納物が脱落、散乱せず、仕切りにより移動しないことで、前述の効果が最ページ（２）大限に発揮され、他の書類などの管理も併せて飛躍的に向上した。
【００１０】  鞄の中が整理され一目瞭然の状態により、物捜しを解消し、置き忘れ、紛失を防止する。鞄を取替えて外出する際の忘れ物を防止する。鞄の下部に空間的な余裕ができる。
【００１１】  ポケットに入れている物も鞄に整理でき、衣類の型崩れ防止と、身だしなみも良好となり、肩こり防止ともなる。
【発明を実施する為の最良の形態】
【００１２】  以下、本発明の実施の形態を図１〜図４に基づいて説明する。
【００１３】  １の高さあわせ収納に、４の竹節状の止りを設け書類、ファイル等を、３の上端解放開口より挿入し使用する。更に、５の高さ調整用切断線を設け鞄の高さに合わせ切断し設置する。
【００１５】  ２の物あわせ収納は、収納物の頂部が鞄の開閉位置に近接し揃うよう、高さを最適な位置に調整し１の高さあわせ収納又は直接鞄内に装備し設置する。更に、８の波型切断線により引掛けた筆記用具等の滑りを防止する。
【００１６】  １の高さあわせ収納と２の物あわせ収納接続方法は、６の延長折り曲げ部に設けた７の高さ調整用折り曲げ部を、収納物の頂部が鞄の開閉位置に近接し揃う一箇所を選定し折り曲げ、３の上部開口部より差込吊下げ設置した。ホック又はマジックテープによる接続も実施した。
【００１７】  プラスチック製の部材により組立て製作し、出し入れが材質の滑りにより良好。
【００１８】  本収納用具は鞄への脱着は自在である。また奥行方向に縮小し、柔軟性と復元力を備えている。
【００１９】
【産業上利用可能性】
【００２０】  本発明の活用例として多人数が営業など、同一業務をする際、本収納用具を装備した鞄により、作業性を共通・共有させ能率向上を計る。更に動く広告として活用。
【００２１】  本鞄収納用具による構造を有した簡便な鞄を大量に製作し廉価で販売する。
【図面の簡単な説明】
【００２２】
【図１】実施例１の三点を鞄に挿入又は装着した斜視図である。
【図２−１】高さあわせ収納の正面図である。
【図２−２】高さあわせ収納の上面図である。
【図２−３】高さあわせ収納の断面図である。
【図２−４】高さあわせ収納の高さ調整部図である。
【図３−１】物あわせ収納Ａの正面図である。
【図３−２】物あわせ収納Ａの上面図である。
【図３−３】物あわせ収納Ａの断面図である。
【図３−４】物あわせ収納Ａの高さ調整部図である。
【図４−１】物あわせ収納Ｂの正面図である。
【図４−２】物あわせ収納Ｂの上面図である。
【図４−３】物あわせ収納Ｂの断面図である。
【図４−４】物あわせ収納Ｂの仕切り隔板の断面図である。
【符号の説明】
【００１９】  １高さあわせ収納
２物あわせ収納
３上端解放開口
４竹節状の止り
５高さ調整用切断線
６折り曲げ差込部
７高さ調整用折り曲げ部
８波型切断線
９仕切り隔板
１０仕切り隔板移動差込位置
【図１】
2005103199.tif 000003
【図２−１】
2005103199.tif 000004
【図２−２】
2005103199.tif 000005
【図２−３】
2005103199.tif 000006
【図２−４】
2005103199.tif 000007
【図３−１】
2005103199.tif 000008
【図３−２】
2005103199.tif 000009
【図３−３】
2005103199.tif 000010
【図３−４】
2005103199.tif 000011
【図４−２】
2005103199.tif 000012
【図４−２】
2005103199.tif 000013
【図４−３】
2005103199.tif 000014
【図４−４】
2005103199.tif 000015
【手続補正書】
【提出日】平成15年12月8日(2003.12.8)
【手続補正１】
【補正対象書類名】図面
【補正対象項目名】全図
【補正方法】変更
【補正の内容】
【図１】
2005103199.tif 000016
【図２−１】
2005103199.tif 000017
【図２−２】
2005103199.tif 000018
【図２−３】
2005103199.tif 000019
【図２−４】
2005103199.tif 000020
【図３−１】
2005103199.tif 000021
【図３−２】
2005103199.tif 000022
【図３−３】
2005103199.tif 000023
【図３−４】
2005103199.tif 000024
【図４−１】
2005103199.tif 000025
【図４−２】
2005103199.tif 000026
【図４−３】
2005103199.tif 000027
【図４−４】
2005103199.tif 000028